(57)【特許請求の範囲】
【請求項１】
牽引式カルチベータ（１）の中骨ビーム（６）に装着される横型シャンク（９）の中耕作業装置であって、横型シャンク（９）の伸縮先端に取付け、進行方向へ向けて下降傾斜させたブラケット（１１ａ）にヤナギ刃（１１ｂ）を湾曲下降傾斜状に結合した中耕爪（１０）と、この中耕爪（１０）の先端のヤナギ刃（１１ｂ）前面に設けた着脱用取付け口（１２）と、前記ヤナギ刃（１１ｂ）の湾曲下降傾斜面に沿って上下変位可能に装着される多目的作業部材（１３）と、を有し、前記多目的作業部材（１３）は、前記ヤナギ刃（１１ｂ）の着脱用取付け口（１２）に対応する複数の結合口を上下軸方向に形成したベースプレート（１５）の側縁に中骨ビーム側横方向に向けて延びる多目的作業ブラケット（１６）を一体形成した部材からなり、前記ヤナギ刃（１１ｂ）の着脱用取付け口（１２）に多目的作業部材（１３）の下部結合口を装着した状態で土壌表面の除草作業がなされ、上部結合口を装着した状態で土壌内部の砕土・撹拌作業がなされるように構成したことを特徴とするカルチベータ中骨ビームの横型シャンク用中耕作業装置
【請求項２】
多目的作業部材（１３）がベースプレート（１５）と多目的作業ブラケット（１６）を一体成型して成ることを特徴とする請求項１記載の横型シャンク用中耕作業装置
【発明の詳細な説明】
【技術分野】
【０００１】
この発明は、トラクタに牽引されるカルチベータに取付けて使用される中耕作業装置に関し、詳細にはカルチベータの各中骨ビームに直交させた横シャンクに取付けて中耕・除草・地中撹拌を行うための中耕作業装置に関する。
【背景技術】
【０００２】
一般に、トラクタ等に牽引されるカルチベータは、横長の牽引バーに沿って土壌の畦間中心線に対応した複数の耕作ユニットが並列に配設されている。
各々の耕作ユニットはバネを用いた四点平行リンク介して弾力的に上下揺動可能に支持した中骨ビームを有し、この中骨ビームの後部に深耕爪を有する縦型シャンクを取付けてあるとともに、中骨ビームの中央部に中骨ビームを直交貫通して伸縮位置可変に結合される横型シャンクを有し、横型シャンクには突出（張出し）先端から進行方向へ向けて湾曲下降させた中耕爪が固定されている。
【先行技術文献】
【特許文献】
【０００３】
【特許文献１】実用新案登録第３１３３８０５号公報
【発明の概要】
【発明が解決しようとする課題】
【０００４】
隣り合って対向する左右の前記耕作ユニットは、中骨ビーム側面に装着した相対する横型シャンクの中耕爪を畦中央部の作物の生育に応じて接近・離反させて中耕作業をするものであるが、中耕爪を横方向に伸長させた時（作物に近づけた時）は中耕爪と深耕爪の耕作軌道間に中耕されない領域が生じる。このためこの領域の土壌表面には雑草が残る。
他方、中耕爪と深耕爪の前記耕作軌道間の土壌内部は耕作されず、作物根周りの土壌が固いままになるため作物の成長を阻害するという問題があった。
実用新案登録録第３１３３８０５号公報には中耕されない領域の雑草をヤナギ刃と一体のカッタで刈り取る技術が開示されているが、この技術では土壌表面下の任意の深さの固い土壌を砕いて撹拌することはできない。
【０００５】
したがって、本発明の目的は、横型シャンクの中耕爪によって中耕されない領域の除草作業と土壌内の作物根周りの土壌破砕・撹拌作業に選択的に適応できる横型シャンク用中耕作業装置を提供することにある。
【課題を解決するための手段】
【０００６】
上記の目的を達成するために本発明の横型シャンク用中耕作業装置は、牽引式カルチベータの中骨ビームに装着される横型シャンクの中耕作業装置であって、横型シャンクの伸縮先端に取付け、進行方向前方へ向けて下降傾斜させたブラケットにヤナギ刃を湾曲下降傾斜状に結合した中耕爪と、この中耕爪の先端のヤナギ刃前面に設けた着脱用取付け口と、前記ヤナギ刃の湾曲下降傾斜面に沿って上下変位可能に装着される多目的作業部材と、を有し、前記多目的作業部材は、前記ヤナギ刃の着脱用取付け口に対応する複数の結合口を上下軸方向に形成したベースプレートの側縁に中骨ビーム側横方向に向けて延びる多目的作業ブラケットを一体形成した部材からなり、前記ヤナギ刃の着脱用取付け口に多目的作業部材の下部結合口を介して装着した状態で土壌表面の除草作業がなされ、上部結合口を介して装着した状態で土壌内部の砕土・撹拌作業がなされるように構成したことを特徴とする。
【０００７】
好ましくはベースプレートと多目的作業ブラケットは鋼板材などの丈夫な材質で一体成型で形成する。
【発明の効果】
【０００８】
複数の上下結合部を有し中骨ビーム側横方向に向けて延びる作業ブラケットを一体形成した多目的作業部材を中耕爪のヤナギ刃の前面に沿って上下変位可能に装着できるようにしたことにより、必要に応じて，中耕されない土壌表面の除草作業と土壌内部の砕土・撹拌作業を選択して行うことができる。
【図面の簡単な説明】
【０００９】
【図１】カルチベータ全体斜視図
【図２】中間の耕作ユニット斜視図
【図３】本発明による中耕作業装置の分解図
【図４ａ】本発明による中耕作業装置の組付け正面図
【図４ｂ】図４ａの左側面図
【図５ａ】本発明による中耕作業装置の組付け正面図
【図５ｂ】図５ａの左側面図
【図６】本発明による中耕作業装置の作用説明図
【図７】本発明による中耕作業装置の作用説明図
【図８】従来技術による中耕作業装置の作用説明図
【発明を実施するための形態】
【００１０】
以下、本発明の好ましい実施例を添付図面に基づいて説明する。
図１は本発明に係る中耕作業装置を使用するカルチベータの一例を示すもので、トラクタ等によって矢印⇒方向へ牽引されるカルチベータ１は、横長の牽引バー２に沿って、土壌の畦間中心線に対応させた複数の耕作ユニット３（図の例では５列）が並列に配設されている。
図２に示すように、各々の耕作ユニット３はバネ４を介した四点平行リンク５によって弾力的に上下揺動可能に支持された中骨ビーム６を有し、この中骨ビーム６の後部に縦型シャンク７の下端に支持された深耕爪８を有するとともに、中骨ビーム６の中央部に中骨ビーム６を直交して伸縮位置可変に結合される横型シャンク９を有し、この横型シャンク９の突出（張出し）先端には進行方向へ向けて湾曲状（円弧状）に下降傾斜させたブラケット１１ａの先端部にヤナギ刃１１ｂを結合した中耕爪１０が固定されている。
図２は牽引バー２の耕作ユニット３の拡大斜視図を示すもので、この耕作ユニット３は牽引バー２の中間位置に配列されるものであるため、中耕爪１０を有する横型シャンク９が中骨ビーム６の左右両側に取付けられている。
【００１１】
図３の分解図を参照して本発明の横型シャンク用中耕作業装置の詳細を説明する。
中骨ビーム６の直行方向に伸縮位置可変に固定される横型シャンク９の基端（畦側先端）に中耕爪１０がボルト１７、ナット１８によって固定されている。
前記中耕爪１０は、横型シャンク９の基端からカルチベータ進行方向へ向けて好ましくは凹状の湾曲面を持って下降傾斜させたブラケット１１ａの先端側に断面が半円弧状のヤナギ刃１１ｂを一体固定してなるもので、図の実施例ではヤナギ刃１１ｂの前面に形成した着脱用取付け口１２、ブラケット１１ａの取付孔１９、ボルト１７、ナット１８を介して着脱可能に一体結合してある。もっとも、中耕爪１０の構造はこれに限定されるものではない。
【００１２】
上記中耕爪１０の構成自体は従来技術と実質的に変わるものではないが、本発明による横型シャンク用中耕作業装置はこの中耕爪１０のヤナギ刃１１ｂ前面の上下方向に沿って取付け位置可変に装着される多目的作業部材１３を有している。
【００１３】
この多目的作業部材１３は、図３〜図５ｂに詳細に示すように、ヤナギ刃１１ｂの前面に取付けられるベースプレート１５と、このベースプレート１５の内側側縁から中骨ビーム６の方向に延びる所定長さの多目的作業ブラケット１６で構成されている。
多目的作業ブラケットの１６の長さは、好ましくは、横型シャンク９を最大に伸長させた時にベースプレート１５から中骨ビーム６付近に至る寸法にする。
【００１４】
図３に示すようにベースプレート１５はヤナギ刃１１ｂと同様の断面形状に形成した断面半円弧状頂部の軸方向に沿って前記ヤナギ刃１１ｂの着脱用取付け口１２に対応する複数の結合口１４（図の実施例では結合口１４ａ、１４ｂ）を形成してある。
【００１５】
かくして、多目的作業ブラケット１６は、図４ａ、図４ｂに示すように、ベースプレート１５の下部結合口１４ｂを介してヤナギ刃１１ｂの着脱用取付け口１２に結合した時は、図６にハッチで示すように、ベースプレート１５が上位に配置され、これと一体の前記多目的作業ブラケット１６が土壌表面（斜線部参照）に接して雑草を除草する。
【００１６】
他方、図５ａ、図５ｂに示すように、ベースプレート１５の上部結合口１４ａを介してヤナギ刃１１ｂの着脱用取付け口１２に結合した時は、図７に示すように、前記ベースプレート１５が下位に変位され、これと一体の多目的作業ブラケット１６が作物根付近の土壌内部（斜線部参照）を砕土・撹拌し、作物が生育し易い環境に改善する。
なお、図８は従来技術による使用説明図である。
【００１７】
多目的作業ブラケット１６は、ヤナギ刃１１ｂの湾曲下降傾斜面に沿って上下位置変位可能に取付けられるベースプレート１５に一体形成したことにより、図６に示すように、上位の除草作業位置では地表面に対して水平となり、これにより雑草をはぎ取って除去するのに適した状態になり、他方、図７に示すように、下位の砕土・撹拌作業位置ではベースプレート１５から地中下方へ若干傾斜した状態となり、これにより適度の縦幅の砕土・撹拌効果が得られる構成にしてある。
【００１８】
図の実施例ではベースプレート１５に上下２個の結合口１４ａ、１４ｂを設けてあるが、本発明はこれに限定されるものではなく、２個以上の結合口を設けて結合部を選択することにより土壌内部の砕土・撹拌深度を多様に調整することもできる。
【００１９】
また、図の実施例では好ましい実施形態としてベースプレート１５と多目的作業ブラケット１６を一体成型し、製造コストの低減、強度の向上を図っているが、本発明はこれに限定されるものではない。
【産業上の利用可能性】
【００２０】
本発明の中耕作業装置は、横型シャンクの中耕爪に多目的作業部材を上下変位可能に設けたことにより、共通の多目的ブラケットで土壌表面の除草と土壌内部の作物根周りの砕土・撹拌が可能であり、低コストで農作物の生育に貢献できる。
【符号の説明】
【００２１】
１…カルチベータ
２…牽引バー
３…耕作ユニット
４…バネ
５…四点平行リンク
６…中骨ビーム
７…縦型シャンク
８…深耕爪
９…横型シャンク
１０…中耕爪
１１ａ…ブラケット
１１ｂ…ヤナギ刃
１２…着脱用取付け口
１３…多目的作業部材
１４ａ、１４ｂ…結合口
１５…ベースプレート
１６…多目的作業ブラケット
１７…ボルト
１８…ナット
１９…取付孔
【要約】
【課題】中耕爪と中骨ビーム間の除草と作物根周りの砕土・撹拌に共用可能な部材を備えた横型シャンクの中耕作業装置を提供する。
【解決手段】横型シャンクの取付けた下降傾斜ブラケットにヤナギ刃を結合した中耕爪のヤナギ刃前面に着脱用取付け口を形成する。ヤナギ刃の前面に沿って上下変位可能に装着される多目的作業部材を設ける。多目的作業部材は、前記ヤナギ刃の着脱用取付け口に対応する複数の結合口を上下軸方向に形成したベースプレートの側縁に中骨ビーム側横方向に向けて延びる多目的作業ブラケットを一体形成した部材で構成されている。
【選択図】図３【図１】
0005421495.tif 000002
【図２】
0005421495.tif 000003
【図３】
0005421495.tif 000004
【図４ａ】
0005421495.tif 000005
【図４ｂ】
0005421495.tif 000006
【図５ａ】
0005421495.tif 000007
【図５ｂ】
0005421495.tif 000008
【図６】
0005421495.tif 000009
【図７】
0005421495.tif 000010
【図８】
0005421495.tif 000011